(57)【特許請求の範囲】
【請求項１】
第１の側面部と、前記第１の側面部と向かい合う第２の側面部と、第３の側面部と、前記第３の側面部と向かい合う第４の側面部とからなる少なくとも４つの略矩形状の側面部と、前記矩形状の側面部の上辺と連接した複数の蓋部フラップと、前記矩形状の側面部の下辺と連接した複数の底部フラップとを備える多角形筒状の包装箱であって、
前記複数の蓋部フラップは、前記第１の側面部の上辺に設けられた第１の外蓋フラップと、前記第２の側面部の上辺に設けられた第２の外蓋フラップと、前記第３の側面部の上辺に設けられた第１の内蓋フラップと、前記第４の側面部の上辺に設けられた第２の内蓋フラップとからなり、
前記第１の外蓋フラップは、先端中央部より突出し、折り曲げられたときに、前記第２の外蓋フラップの先端中央部の上面に重なることが可能な積層部形成用突出部を備え、かつ、前記積層部形成用突出部に形成された固着部により、前記第１の外蓋フラップの下面と前記第２の外蓋フラップが固着されており、
さらに、前記第１の外蓋フラップは、前記積層部形成用突出部の一方および他方の側部より前記第１の側面部またはその付近まで延びる２本の開封用切込部と、前記２本の開封用切込部の先端部間を連結するように設けられた破断用切込部とを備え、前記第２の外蓋フラップは、前記固着部の一方および他方の側部付近より、前記第２の側面部またはその付近まで延びる２本の開封用切込部を備え、
前記第１の外蓋フラップおよび前記第２の外蓋フラップは、折り曲げられ、前記積層部形成用突出部は、前記第２の外蓋フラップの先端中央部の上面に重なっており、かつ、前記第２の外蓋フラップの開封用切込部の先端部は、前記第１の外蓋フラップの前記積層部形成用突出部の側縁より、５〜３５ｍｍ内側に位置し、前記積層部形成用突出部の下方を延びるものとなっており、
かつ、前記積層部形成用突出部の先端部の両側部は、前記第２の外蓋フラップの前記２本の開封用切込部の先端部の外側に位置し、前記第２の外蓋フラップに固着されず、かつ、前記第２の外蓋フラップ上に位置するものとなっていることを特徴とする包装箱。
【請求項２】
前記各開封用切込部は、前記内蓋フラップ上に位置するように設けられている請求項１に記載の包装箱。
【請求項３】
前記包装箱は、前記積層部形成用突出部に設けられた前記破断用切込部を破断し、前記第１および第２の外蓋フラップを押し広げるように開くことにより、前記第１の外蓋フラップは、前記開封用切込部に沿って破断し、前記第２の外蓋フラップは、前記開封用切込部に沿って破断することにより開口し、収納物を取り出し可能となるものである請求項１または２に記載の包装箱。
【請求項４】
前記複数の底部フラップは、前記第１の側面部の下辺に設けられた第１の外底フラップと、前記第２の側面部の下辺に設けられた第２の外底フラップと、前記第３の側面部の下辺に設けられた第１の内底フラップと、前記第４の側面部の下辺に設けられた第２の内底フラップとからなるものである請求項１ないし３のいずれかに記載の包装箱。
【請求項５】
前記第１の内蓋フラップは、前記第３の側面部の上辺付近に設けられた折曲可能部を介して起立可能かつ折り曲げ後の前記外蓋フラップ上に折り曲げ可能に形成された第１の上部フラップと、前記第１の上部フラップを形成するための部分的切り抜き部を有し、前記第２の内蓋フラップは、前記第４の側面部の上辺付近に設けられた折曲可能部を介して起立可能かつ折り曲げ後の前記外蓋フラップ上に折り曲げ可能に形成された第２の上部フラップと、前記第２の上部フラップを形成するための部分的切り抜き部を有している請求項１ないし４のいずれかに記載の包装箱。
【請求項６】
前記包装箱は、前記内底フラップの下面かつ前記外底フラップの側縁の外側に形成された向かい合う２つの凹部を備え、前記２つの凹部は、前記２つの上部フラップの形状に対応し、積層時に下層となる包装箱の前記２つの上部フラップを収納可能な形状となっている請求項５に記載の包装箱。
【請求項７】
前記包装箱は、前記各側面部間を連結する４つの略矩形状のコーナー側面部を備え、かつ、１つのコーナー側面部は、隣り合う側面部に設けられた２つのコーナー部形成用側面部が重ね合わされ接合された接合コーナー側面部となっている請求項１ないし６のいずれかに記載の包装箱。
【請求項８】
前記第２の外蓋フラップの開封用切込部の先端部は、前記第１の外蓋フラップの前記積層部形成用突出部の側縁より、１０〜２５ｍｍ内側に位置し、前記積層部形成用突出部の下方を延びるものとなっている請求項１ないし７のいずれかに記載の包装箱。
【発明の詳細な説明】
【技術分野】
【０００１】
本発明は、包装箱に関する。
【背景技術】
【０００２】
複数の商品を収納するための包装箱として、各種のものが用いられている。近年では、包装箱として、積層した場合に荷崩れにしくいものが販売されている。このような荷崩れしにくい包装箱としては、例えば、特開２０１４−１４４７７８（特許文献１）のものを本件出願人が提案している。
【０００３】
特許文献１の包装箱１は、２つの外蓋フラップ３１，３２と、２つの内蓋フラップ３３、３４を備える。内蓋フラップは、切り抜き部１１，１２，１３，１４により形成された上部フラップ３５、３６と、先端が上部フラップ３５、３６の先端まで延びる隙間封鎖用延出部３７、３８を備える。外蓋フラップは、他方の外蓋フラップの先端中央部と重なる積層部形成用突出部３９を備える。内蓋フラップ３３、３４は、折り曲げられたとき先端部が、積層部形成用突出部３９の下方となるように形成されおり、隙間封鎖用延出部３７、３８は、折り曲げられた外蓋フラップ３１、３２の先端部の下方となるように設けられている。これにより、２つの外蓋フラップ（天面部外フラップ）の向かい合う先端間が若干離間した状態であっても、隙間が形成されず、内部への異物の侵入がないものとなっている。
【０００４】
また、この特許文献１の包装箱１では、積層部形成用突出部３９部分にて、第１の外蓋フラップ３１は、第２の外蓋フラップ３２に固着されることにより封止されている。そして、積層部形成用突出部３９には、上記の固着部の端部より若干側部側となる部分に設けられた破断用切り込み８９が設けられている、さらに、第１の外蓋フラップ３１には、上記の破断用切り込み８９の一端より第１の側面部２１の角部に到達するように延びる２本の破断用斜め切り込み８６が設けられている。また、第２の外蓋フラップ３２にも、上述した固着部の側部より、第２の側面部２２の角部に到達するように延びる２本の破断用斜め切り込み８７が設けられている。これにより、破断用切り込み８９を破断し、２つの外蓋フラップ３１，３２を押し広げるように開くことにより、第１の外蓋フラップ３１は、破断用斜め切り込み８６に沿って破断し、第２の外蓋フラップ３２は、破断用斜め切り込み８７に沿って破断することにより開口し、収納物を取り出し可能となる。
【先行技術文献】
【特許文献】
【０００５】
【特許文献１】特開２０１４−１４４７７８
【発明の概要】
【発明が解決しようとする課題】
【０００６】
特許文献１の包装箱は、積載可能である点、内部への異物の侵入がない点などにおいて有用である。しかし、特許文献１の包装箱では、積層作業時などにおいて、積層部形成用突出部３９部分の先端部に上方から負荷がかかった場合に、第２の外蓋フラップ３２の破断用斜め切り込み８７の先端部が破断することがあった。
【０００７】
そこで、本発明は、外蓋フラップの一方が積層部形成用突出部とこの突出部に設けられた破断用切込部を持ち、外側フラップの双方が開封用切込部を持ち、２つの外蓋フラップを押し広げるように開くことにより、開口し、収納物を取り出し可能である包装箱において、積層部形成用突出部に荷重が負荷されても、外側フラップの開封用切込部に破断が生じることがない包装箱を提供するものである。
【課題を解決するための手段】
【０００８】
上記目的を達成するものは、以下のものである。
（１）  第１の側面部と、前記第１の側面部と向かい合う第２の側面部と、第３の側面部と、前記第３の側面部と向かい合う第４の側面部とからなる少なくとも４つの略矩形状の側面部と、前記矩形状の側面部の上辺と連接した複数の蓋部フラップと、前記矩形状の側面部の下辺と連接した複数の底部フラップとを備える多角形筒状の包装箱であって、前記複数の蓋部フラップは、前記第１の側面部の上辺に設けられた第１の外蓋フラップと、前記第２の側面部の上辺に設けられた第２の外蓋フラップと、前記第３の側面部の上辺に設けられた第１の内蓋フラップと、前記第４の側面部の上辺に設けられた第２の内蓋フラップとからなり、前記第１の外蓋フラップは、先端中央部より突出し、折り曲げられたときに、前記第２の外蓋フラップの先端中央部の上面に重なることが可能な積層部形成用突出部を備え、かつ、前記積層部形成用突出部に形成された固着部により、前記第１の外蓋フラップの下面と前記第２の外蓋フラップが固着されており、さらに、前記第１の外蓋フラップは、前記積層部形成用突出部の一方および他方の側部より前記第１の側面部またはその付近まで延びる２本の開封用切込部と、前記２本の開封用切込部の先端部間を連結するように設けられた破断用切込部とを備え、前記第２の外蓋フラップは、前記固着部の一方および他方の側部付近より、前記第２の側面部またはその付近まで延びる２本の開封用切込部を備え、前記第１の外蓋フラップおよび前記第２の外蓋フラップは、折り曲げられ、前記積層部形成用突出部は、前記第２の外蓋フラップの先端中央部の上面に重なっており、かつ、前記第２の外蓋フラップの開封用切込部の先端部は、前記第１の外蓋フラップの前記積層部形成用突出部の側縁より、５〜３５ｍｍ内側に位置し、前記積層部形成用突出部の下方を延びるものとなっており、かつ、前記積層部形成用突出部の先端部の両側部は、前記第２の外蓋フラップの前記２本の開封用切込部の先端部の外側に位置し、前記第２の外蓋フラップに固着されず、かつ、前記第２の外蓋フラップ上に位置するものとなっている包装箱。
【０００９】
（２）  前記各開封用切込部は、前記内蓋フラップ上に位置するように設けられている上記（１）に記載の包装箱。
（３）  前記包装箱は、前記積層部形成用突出部に設けられた前記破断用切込部を破断し、前記第１および第２の外蓋フラップを押し広げるように開くことにより、前記第１の外蓋フラップは、前記開封用切込部に沿って破断し、前記第２の外蓋フラップは、前記開封用切込部に沿って破断することにより開口し、収納物を取り出し可能となるものである上記（１）または（２）に記載の包装箱。
（４）  前記複数の底部フラップは、前記第１の側面部の下辺に設けられた第１の外底フラップと、前記第２の側面部の下辺に設けられた第２の外底フラップと、前記第３の側面部の下辺に設けられた第１の内底フラップと、前記第４の側面部の下辺に設けられた第２の内底フラップとからなるものである上記（１）ないし（３）のいずれかに記載の包装箱。
【００１０】
（５）  前記第１の内蓋フラップは、前記第３の側面部の上辺付近に設けられた折曲可能部を介して起立可能かつ折り曲げ後の前記外蓋フラップ上に折り曲げ可能に形成された第１の上部フラップと、前記第１の上部フラップを形成するための部分的切り抜き部を有し、前記第２の内蓋フラップは、前記第４の側面部の上辺付近に設けられた折曲可能部を介して起立可能かつ折り曲げ後の前記外蓋フラップ上に折り曲げ可能に形成された第２の上部フラップと、前記第２の上部フラップを形成するための部分的切り抜き部を有している上記（１）ないし（４）のいずれかに記載の包装箱。
（６）  前記包装箱は、前記内底フラップの下面かつ前記外底フラップの側縁の外側に形成された向かい合う２つの凹部を備え、前記２つの凹部は、前記２つの上部フラップの形状に対応し、積層時に下層となる包装箱の前記２つの上部フラップを収納可能な形状となっている上記（５）に記載の包装箱。
（７）  前記包装箱は、前記各側面部間を連結する４つの略矩形状のコーナー側面部を備え、かつ、１つのコーナー側面部は、隣り合う側面部に設けられた２つのコーナー部形成用側面部が重ね合わされ接合された接合コーナー側面部となっている上記（１）ないし（６）のいずれかに記載の包装箱。
（８）  前記第２の外蓋フラップの開封用切込部の先端部は、前記第１の外蓋フラップの前記積層部形成用突出部の側縁より、１０〜２５ｍｍ内側に位置し、前記積層部形成用突出部の下方を延びるものとなっている上記（１）ないし（７）のいずれかに記載の包装箱。
【発明の効果】
【００１１】
本発明の包装箱は、第１の側面部と、第１の側面部と向かい合う第２の側面部と、第３の側面部と、第３の側面部と向かい合う第４の側面部とからなる少なくとも４つの略矩形状の側面部と、矩形状の側面部の上辺と連接した複数の蓋部フラップと、矩形状の側面部の下辺と連接した複数の底部フラップとを備える多角形筒状の包装箱である。そして、複数の蓋部フラップは、第１の側面部の上辺に設けられた第１の外蓋フラップと、第２の側面部の上辺に設けられた第２の外蓋フラップと、第３の側面部の上辺に設けられた第１の内蓋フラップと、第４の側面部の上辺に設けられた第２の内蓋フラップとからなる。また、第１の外蓋フラップは、先端中央部より突出し、折り曲げられたときに、第２の外蓋フラップの先端中央部の上面に重なることが可能な積層部形成用突出部を備え、かつ、積層部形成用突出部に形成された固着部により、第１の外蓋フラップの下面と第２の外蓋フラップが固着されており、さらに、第１の外蓋フラップは、積層部形成用突出部の一方および他方の側部より第１の側面部またはその付近まで延びる２本の開封用切込部と、２本の開封用切込部の先端部間を連結するように設けられた破断用切込部とを備え、第２の外蓋フラップは、固着部の一方および他方の側部付近より、第２の側面部またはその付近まで延びる２本の開封用切込部を備え、第１の外蓋フラップおよび第２の外蓋フラップは、折り曲げられ、積層部形成用突出部は、第２の外蓋フラップの先端中央部の上面に重なっており、かつ、かつ、第２の外蓋フラップの開封用切込部の先端部は、第１の外蓋フラップの積層部形成用突出部の側縁より内側に位置し、積層部形成用突出部の下方を延びるものとなっている。
【００１２】
この包装箱は、積層部形成用突出部に設けられた破断用切込部を破断した後、第１および第２の外蓋フラップを押し広げるように開くことにより、外側フラップの双方が開封用切込部により、破断され開口するため、収納物を容易に取り出すことができる。さらに、第２の外蓋フラップの開封用切込部の先端部は、第１の外蓋フラップの積層部形成用突出部の側縁より内側に位置し、積層部形成用突出部の下方に位置するものとなっている。このため、積層部形成用突出部に荷重が負荷されても、第２の外側フラップの開封用切込部の先端部にその荷重が直接的に付与されることがなく、荷重負荷に起因する第２の外側フラップの開封用切込部の先端部の破断がない。
【図面の簡単な説明】
【００１３】
【図１】図１は、本発明の実施例の包装箱の上面側から見た斜視図である。
【図２】図２は、図１に示した包装箱の底面側から見た斜視図である。
【図３】図３は、本発明の実施例の包装箱の展開図である。
【図４】図４は、図３の第２の外蓋フラップ付近の部分拡大図である。
【図５】図５は、図３の部分省略拡大図である。
【図６】図６は、蓋部フラップを広げた状態の本発明の包装箱の平面図である。
【図７】図７は、図６に示す状態から、２つの内蓋フラップを閉じた状態の本発明の包装箱の平面図である。
【図８】図８は、図７に示す状態から、２つの外蓋フラップを閉じた状態の本発明の包装箱の平面図である。
【図９】図９は、図８に示す状態から、２つの上部フラップを閉じた状態の本発明の包装箱の平面図である。
【図１０】図１０は、底部フラップを広げた状態の本発明の包装箱の底面図である。
【図１１】図１１は、図１０に示す状態から、底部フラップを閉じた状態の本発明の包装箱の平面図である。
【図１２】図１２は、本発明の包装箱の他の実施例を説明するための説明図である。
【図１３】図１３は、本発明の他の実施例の包装箱の上面側から見た斜視図である。
【図１４】図１４は、図１３に示した本発明の包装箱を説明するための説明図である。
【図１５】図１５は、本発明の他の実施例の包装箱の上面側から見た斜視図である。
【図１６】図１６は、図１５に示した実施例の包装箱の底面側から見た斜視図である。
【発明を実施するための形態】
【００１４】
本発明の包装箱を図面に示した実施例を用いて説明する。
本発明の包装箱１は、第１の側面部２１と、第１の側面部２１と向かい合う第２の側面部２２と、第３の側面部２３と、第３の側面部２３と向かい合う第４の側面部２４とからなる少なくとも４つの略矩形状の側面部と、矩形状の側面部の上辺と連接した複数の蓋部フラップと、矩形状の側面部の下辺と連接した複数の底部フラップとを備える多角形筒状の包装箱である。
そして、複数の蓋部フラップは、第１の側面部２１の上辺に設けられた第１の外蓋フラップ３１と、第２の側面部２２の上辺に設けられた第２の外蓋フラップ３２と、第３の側面部２３の上辺に設けられた第１の内蓋フラップ３３と、第４の側面部２４の上辺に設けられた第２の内蓋フラップ３４とからなる。
【００１５】
そして、第１の外蓋フラップ３１は、先端中央部より突出し、折り曲げられたときに、第２の外蓋フラップ３２の先端中央部の上面に重なることが可能な積層部形成用突出部３９を備え、かつ、積層部形成用突出部３９に形成された固着部９５により、第１の外蓋フラップ３１の下面と第２の外蓋フラップ３２が固着されている。第１の外蓋フラップ３１は、積層部形成用突出部３９の一方および他方の側部より第１の側面部２１またはその付近（具体的には、第１の側面部２１の角部付近）まで延びる２本の開封用切込部８６と、２本の開封用切込部８６の先端部間を連結するように設けられた破断用切込部８９とを備える。第２の外蓋フラップは、固着部９５の一方および他方の側部付近より、第２の側面部２２またはその付近（具体的には、第２の側面部２２の角部付近）まで延びる２本の開封用切込部８７，８８を備える。そして、第１の外蓋フラップ３１および第２の外蓋フラップ３２は、折り曲げられ、積層部形成用突出部３９は、第２の外蓋フラップ３２の先端中央部の上面に重なっており、かつ、第２の外蓋フラップ３２の開封用切込部８７，８８の先端部は、第１の外蓋フラップ３１の積層部形成用突出部３９の側縁より内側に位置し、積層部形成用突出部３９の下方を延びるものとなっている。
【００１６】
本発明の包装箱は、図９に示すように、第１の外蓋フラップ３１は、先端中央部より突出し、折り曲げられたときに、第２の外蓋フラップ３２の先端中央部と重なる積層部形成用突出部３９を備え、かつ、第１の内蓋フラップ３３および第２の内蓋フラップ３４は、折り曲げられたとき先端部が、積層部形成用突出部３９の下方となるように形成されている。そして、積層部形成用突出部３９の下面に形成された固着部９５により、第１の外蓋フラップ３１の下面と第２の外蓋フラップ３２が固着されている。
【００１７】
そして、この実施例の包装箱１は、第１の外蓋フラップ３１に設けられた破断用切込部８９を破断し、第１の外蓋フラップ３１および第２の外蓋フラップ３２を押し広げるように開くことにより、第１の外蓋フラップ３１は、２本の開封用切込部８６に沿って破断し、第２の外蓋フラップ３２は、２本の開封用切込部８７，８８に沿って破断し、開口する。
また、第１の外蓋フラップ３１の開封用切込部８６および第２の外蓋フラップ３２の開封用切込部８７，８８は、内蓋フラップ３３，３４上に位置するように設けられている。このため、切込部に荷重が負荷されても容易に破断しない。また、部分的に破断しても、下に内蓋フラップが存在するため、内部への異物の混入を防止する。
【００１８】
本発明の包装箱は、どのようなものを収納してもよいが、例えば、高い衛生性を求められるもの、例えば、食品、医薬品を複数梱包する場合に有効である。また、食品、医薬品としては、スープや粥、半固形栄養剤、流動食、ゼリー飲料、粉末（顆粒を含む）スープ等の流動性食品、輸液剤や、粉末（顆粒を含む）医薬品があげられる。また、収納物の形態としては、パウチ、ガセット袋等の袋状の柔包装体である場合、特に有効である。
【００１９】
そして、この実施例の包装箱１を形成可能な包装箱作成用台紙（切り抜き済みかつ折り曲げ前形態）１０は、図３、図４および図５に示すような各部位を備えている。また、この包装箱作成用台紙１０は、１枚の横長のシート（具体的には、板紙、ダンボール紙）を部分的に切断および打ち抜くことにより、その基本構成が形成されている。
【００２０】
本発明の包装箱１および包装箱作成用台紙１０は、複数の略矩形状の側面部を備える環状側面部形成部２と、環状側面部形成部の上辺と折り曲げ可能部を介して連接する蓋部形成部（蓋部フラップ）３と、環状側面部形成部の下辺と折り曲げ可能部を介して連接する底部形成部（底部フラップ）４とを備えている。
そして、図６は、蓋部フラップの説明のために、すべて開いた状態を示している。しかし、包装箱の組立において、図６のように、蓋部フラップを外側に開く必要はなく、側面部と同一平面となった状態にて、順次折り曲げられる。
【００２１】
環状側面部形成部は、矩形状の第１の側面部２１と、第１の側面部２１と向かい合いかつほぼ同じ形状に形成された矩形状の第２の側面部２２と、第１の側面部２１と第２の側面部２２間に位置する矩形状の第３の側面部２３と、第３の側面部２３と向かい合いかつほぼ同じ形状に形成された矩形状の第４の側面部２４とからなる少なくとも４つの略矩形状の主側面部を備えている。なお、この実施例では、第１の側面部２１および第２の側面部２２に比べて、第３の側面部２３および第４の側面部２４は、幅が狭いものとなっている。また、各側面部の高さは、同じものとなっている。
【００２２】
さらに、この実施例の包装箱１では、環状側面部形成部は、各側面部間を連結する略矩形状の４つのコーナー側面部２５，２６，２７，２８、２９を備え、かつ、１つのコーナー側面部は、図６に示すように、隣り合う側面部に設けられた２つのコーナー部形成用側面部２８，２９が重ね合わされ接合された接合コーナー側面部７となっている。この接合コーナー側面部７が形成されることにより、環状側面部形成部は、環状側面部となる。
【００２３】
より具体的には、第１の側面部２１と第３の側面部２３間には、側面部２１，２３より幅が狭い、第１のコーナー側面部２５が設けられている。第３の側面部２３と第２の側面部２２間には、側面部２２，２３より幅が狭い、第２のコーナー側面部２６が設けられている。第２の側面部２２と第４の側面部２４間には、側面部２２，２４より幅が狭い、第３のコーナー側面部２７が設けられている。第４の側面部２４の第３のコーナー側縁部が設けられた側縁と対向する側縁には、第１のコーナー部形成用側面部２８が設けられ、第１の側面部２１の側縁には、第２のコーナー部形成用側面部２９が設けられている。コーナー側面部２５，２６，２７は、ほぼ同じ幅を有し、コーナー部形成用側面部２８，２９は、コーナー側面部２５，２６，２７より若干幅が狭いものとなっている。
【００２４】
また、第１の側面部２１と第１のコーナー側面部２５は、折曲可能部５１を介して連接している。第１のコーナー側面部２５と第３の側面部２３は、折曲可能部５２を介して連接している。第３の側面部２３と第２のコーナー側面部２６は、折曲可能部５３を介して連接している。第２のコーナー側面部２６と第２の側面部２２は、折曲可能部５４を介して連接している。第２の側面部２２と第３のコーナー側面部２７は、折曲可能部５５を介して連接している。第３のコーナー側面部２７と第４の側面部２４は、折曲可能部５６を介して連接している。第４の側面部２４と第１のコーナー部形成用側面部２８は、折曲可能部５７を介して連接している。そして、第１の側面部２１は、折曲可能部５８を介して第２のコーナー部形成用側面部２９と連接している。
【００２５】
そして、この実施例の包装箱１は、図１ないし図３に示すように、４つの主側面部と４つのコーナー側面部とを備えることにより、横断面が略８角形となった８角柱状体となっている。このように、包装箱の角部が、いわゆる直角に屈曲せず、隣り合う主側面部が傾斜するコーナー側面部により連結されていることにより、強度が強く潰れにくいとともに、収納した内容物の箱内移動を規制するものとなっている。
【００２６】
そして、蓋部形成部は、複数の蓋部フラップにより構成されている。蓋部フラップは、図１、図３ないし図９に示すように、第１の側面部２１の上辺に、折曲可能部６１を介して連接された第１の外蓋フラップ３１と、第２の側面部２２の上辺に、折曲可能部６３を介して連接された第２の外蓋フラップ３２と、第３の側面部２３の上辺に、折曲可能部７１を介して連接された設けられた第１の内蓋フラップ３３と、第４の側面部２４の上辺に、折曲可能部７２を介して連接された設けられた第２の内蓋フラップ３４とからなる。
【００２７】
さらに、図１、図３、図６ないし図８に示すように、第１の外蓋フラップ３１は、その先端中央部より突出し、折り曲げられたときに、第２の外蓋フラップ３２の先端中央部と重なる積層部形成用突出部３９を備える。具体的には、積層部形成用突出部３９は、第１の外蓋フラップ３１の先端中央より、ある程度の長さの幅と短い突出長を有する延出部により形成されている。
また、第１の内蓋フラップ３３および第２の内蓋フラップ３４は、折り曲げられたとき先端部が、積層部形成用突出部３９の側部の下方となるように形成されている。
【００２８】
そして、包装箱１は、図９に示すように、積層部形成用突出部３９部分にて、第１の外蓋フラップ３１は、第２の外蓋フラップ３２に固着されている。具体的には、積層部形成用突出部３９部分にて、第１の外蓋フラップ３１の下面は、第２の外蓋フラップ３２の上面に、固着部９５により固着されている。
そして、この実施例の包装箱１では、図３ないし図９に示すように、第１の外蓋フラップ３１には、上記の固着部９５の内側端部上もしくは若干内側となる部分に設けられた破断用切込部８９が設けられている。
【００２９】
そして、第１の外蓋フラップ３１は、積層部形成用突出部３９の一方および他方の側部より第１の側面部２１の角部付近に到達するように延びる２本の開封用切込部８６と、２本の開封用切込部８６の先端部間を連結するように設けられた破断用切込部８９とを備える。
【００３０】
具体的には、この実施例の包装箱１では、図３、図６ないし図９に示すように、第１の外蓋フラップ３１に設けられた２本の開封用切込部８６は、第１の側面部２１の両角部である折曲可能部５１、５８もしくはその付近に始端を有し、この始端より、積層部形成用突出部３９方向に向かって延びる斜め部分を持ち、さらに、斜め部分は、積層部形成用突出部３９に到達することなく終端する終端部を持ち、さらに、この終端部より、第１の外蓋フラップ３１の側部方向に斜めに延びる短い逆傾斜部を備え、この短い逆傾斜部の端部より、積層部形成用突出部３９の側縁に向かって、第１の外蓋フラップの先端に直交するように（言い換えれば、第１の外蓋フラップの側縁とほぼ平行に）延びる先端部を備えている。
【００３１】
よって、開封用切込部８６は、第１の外蓋フラップ３１の先端側から見ると、短く、かつほぼ平行となり、かつ、積層部形成用突出部３９の側縁と連続する２本の先端部と、その端部に形成された屈曲部と、屈曲部より、それぞれ離間する方向に延びる斜め部分と、第１の側面部２１の角部付近（折曲可能部５１、５８付近）にて、第１の側面部２１の端部に到達する始端を有するものとなっている。そして、２本の開封用切込部８６の先端部間を連結するように、破断用切込部８９が設けられている。この実施例では、破断用切込部８９は、積層部形成用突出部３９より、若干、第１の外蓋フラップ３１の内側となるように形成されている。このため、２本の開封用切込部８６の先端部は、破断用切込部８９を越えて延び、積層部形成用突出部３９の側縁に到達している。なお、破断用切込部８９は、積層部形成用突出部３９に設けてもよい。
【００３２】
そして、この包装箱１では、第２の外蓋フラップ３２は、固着部９５の一方の側部より、第２の側面部２２の一方の角部付近に到達するように延びる開封用切込部８７と、第２の側面部２２の他方の角部付近に到達するように延びる開封用切込部８８を備える。そして、第１の内蓋フラップ３３および第２の内蓋フラップ３４を折り曲げ、さらに、第２の外蓋フラップ３２、第１の外蓋フラップ３１の順に折り曲げたとき、積層部形成用突出部３９は、第２の外蓋フラップ３２の先端中央部と重なる、そして、この状態において、第２の外蓋フラップ３２の開封用切込部８７、８８の先端部８７ｄ、８８ｄは、積層部形成用突出部３９の下方となるように形成されている。また、第２の外蓋フラップ３２の開封用切込部８７，８８の先端部８７ｄ、８８ｄは、第１の外蓋フラップ３１の積層部形成用突出部３９の側縁より内側に位置している。第２の外蓋フラップ３２の開封用切込部８７，８８の先端部は、第１の外蓋フラップ３１の積層部形成用突出部３９の側縁より、５〜３５ｍｍ内側に位置することが好ましく、特に、１０〜２５ｍｍ内側であることが好ましい。
【００３３】
具体的には、第２の外蓋フラップ３２の開封用切込部８７，８８の先端は、第２の外蓋フラップ３２の先端に到達している。そして、開封用切込部８７，８８間に固着部９５が設けられる。また、この実施例のものでは、開封用切込部８７は、図３および図４に示すように、第２の側面部２２の一方の角部付近である折曲可能部５５に始端８７ａを有し、この始端８７ａより、固着部９５方向に向かって延びる斜め部分８７ｂを持ち、さらに、斜め部分８７ｂは、固着部９５に到達することなく終端する終端部８７ｃを持ち、さらに、この終端部８７ｃより、固着部に向かって、第２の外蓋フラップの先端に直交するように（言い換えれば、第２の外蓋フラップの側縁とほぼ平行に）延びる先端部８７ｄを備えている。
【００３４】
同様に、開封用切込部８８も、図３および図４に示すように、第２の側面部２２の他方の角部付近である折曲可能部５４に始端８８ａを有し、この始端８８ａより、固着部９５方向に向かって延びる斜め部分８８ｂを持ち、さらに、斜め部分８８ｂは、固着部９５に到達することなく終端する終端部８８ｃを持ち、さらに、この終端部８８ｃより、固着部に向かって、第２の外蓋フラップの先端に直交するように（言い換えれば、第２の外蓋フラップの側縁とほぼ平行に）延びる先端部８８ｄを備えている。
よって、開封用切込部８７、８８は、第２の外蓋フラップの先端側から見ると、短く、かつほぼ平行となった２本の先端部８７ｄ、８８ｄと、その端部８７ｃ、８８ｃにて屈曲し、それぞれ離間する方向に延びる斜め部分８７ｂ、８８ｂと、第２の側面部２２の角部付近にて、第２の側面部２２の端部に到達する始端８７ａ，８８ａを有するものとなっている。
また、この実施例では、開封用切込部８６，８７、８８の主要部は、Ｙ字状の切込部となっている。
【００３５】
そして、固着部９５は、第２の外蓋フラップ３２の２本の開封用切込部８７，８８間に設けられている。言い換えれば、積層部形成用突出部３９は、第２の外蓋フラップ３２の２本の開封用切込部８７，８８の外側においては、第２の外蓋フラップ３２と固着されていない。これにより、第２の外蓋フラップ３２の開封用切込部８７，８８による破断を確実かつ容易なものとしている。具体的には、固着部９５は、開封用切込部８７、８８の先端部８７ｄ、８８ｄ間に形成されている。固着部９５は、開封用切込部８７、８８の先端部８７ｄ、８８ｄ間の全体に形成されることが好ましいが、部分的なものであってもよい。また、固着部９５は、その側部が、積層部形成用突出部３９の側部に到達しないものとなっている。
【００３６】
そして、開封用切込部８７、８８の先端部８７ｄ、８８ｄは、第１の外蓋フラップ３１の積層部形成用突出部３９の側縁より内側に位置し、積層部形成用突出部３９の下方を延びるものとなっている。このため、積層部形成用突出部３９に荷重が負荷されても、第２の外側フラップ３２の開封用切込部８７，８８の先端部８７ｄ、８８ｄにその荷重が直接的に付与されることがなく、荷重負荷に起因する第２の外側フラップ３２の開封用切込部の先端部の破断がない。
【００３７】
そして、この実施例の包装箱１は、積層部形成用突出部３９に設けられた破断用切込部８９を破断し、第１の外蓋フラップ３１および第２の外蓋フラップ３２を押し広げるように開くことにより、第１の外蓋フラップ３１は、２本の開封用切込部８６に沿って破断し、第２の外蓋フラップ３２は、２本の開封用切込部８７，８８に沿って破断する。
また、第１の外蓋フラップ３１の開封用切込部８６および第２の外蓋フラップ３２の開封用切込部８７，８８は、内蓋フラップ３３，３４上に位置するように設けられている。このため、切込部に荷重が負荷されても容易に破断しない。また、部分的に破断しても、下に内蓋フラップが存在するため、内部への異物の混入を防止する。
【００３８】
なお、第２の外蓋フラップ３２の開封用切込部８７，８８および第１の外蓋フラップ３１の開封用切込部８６は、図１２に示す実施例のようなものであってもよい。この実施例の包装箱作成用台紙（切り抜き済みかつ折り曲げ前形態）１０ａの蓋部形成部３ａでは、第２の外蓋フラップ３２の開封用切込部８７，８８は、先端部に形成された平行となる部分を持たないものとなっている。具体的には、この実施例における開封用切込部８７，８８は、第２の側面部２２の一方の角部付近である折曲可能部５４，５５に始端８７ａ，８８ａを有し、第２の外蓋フラップ３２の先端に、終端８７ｅ，８８ｅを持ち、始端８７ａ，８８ａと終端８７ｅ，８８ｅ間を延びる斜め部分８７ｂ、８８ｂを有するものとなっている。つまり、開封用切込部８７，８８は、その全体が、斜め切込部より形成されている。そして、この実施例においても、開封用切込部８７，８８の先端部間に固着部９５が設けられる。
【００３９】
また、第１の外蓋フラップ３２の開封用切込部８６も、上記の開封用切込部８７，８８と同様に、先端部に形成された平行となる部分を持たないものであってもよい。この場合、開封用切込部８７，８８は、第１の側面部２２の一方の角部付近である折曲可能部５１，５８に始端を有し、第１の外蓋フラップ３１の破断用切込部８９に始端を有し、全体が斜め切込部より形成されたものであってもよい。
【００４０】
さらに、この実施例の包装箱１では、図１ないし図１１に示すように、第１の内蓋フラップ３３は、第３の側面部の上辺付近に設けられた折曲可能部を介して、第１の内蓋フラップ３３に対して起立可能、かつ折り曲げ後の外蓋フラップ３１，３２上に折り曲げ可能に形成された第１の上部フラップ３５と、第１の上部フラップ３５を形成するための部分的切り抜き部１１，１２を有し、第２の内蓋フラップ３４は、第４の側面部の上辺付近に設けられた折曲可能部を介して、第２の内蓋フラップ３４に対して起立可能、かつ折り曲げ後の外蓋フラップ３１，３２上に折り曲げ可能に形成された第２の上部フラップ３６と、第２の上部フラップ３６を形成するための部分的切り抜き部１３，１４を備える。
【００４１】
そして、第１の内蓋フラップ３３は、切り抜き部１１，１２の内側より第１の上部フラップ３５の先端まで延びる第１の隙間封鎖用延出部３７を備え、第２の内蓋フラップ３４は、切り抜き部１３，１４の内側より第２の上部フラップ３６の先端まで延びる第２の隙間封鎖用延出部３８を備える。
【００４２】
このため、第１の外蓋フラップ３１および第２の外蓋フラップ３２が折り曲げられ、積層部３９が他方の外蓋フラップの先端中央部と重なった状態において、積層部以外の部分における第１の外蓋フラップ３１の先端と第２の外蓋フラップ３２の先端間に隙間があっても、下方に第１の内蓋フラップ３３または第２の内蓋フラップ３４が位置する。さらに、第１の内蓋フラップ３３は、第１の隙間封鎖用延出部３７を備え、第２の内蓋フラップ３４は、第２の隙間封鎖用延出部３８を備え、かつ、第１の隙間封鎖用延出部３７および第２の隙間封鎖用延出部３８は、折り曲げられた第１の外蓋フラップ３１および第２の外蓋フラップ３２の先端部の下方となる位置に設けられている。このため、折り曲げられた２つの上部フラップ３５，３６により被包されない第１の外蓋フラップの先端と第２の外蓋フラップの先端間の隙間の全体の下方に、第１の内蓋フラップ３３または第２の内蓋フラップ３４が位置するものとなっており、包装箱１の上面（蓋部）には、実質的な隙間が形成されず、隙間に起因する異物混入を防止する。
【００４３】
さらに、内蓋フラップ３３は、部分的に切り抜くことにより形成された切り抜き部１１、１２を備えており、第１の上部フラップ３５は、主な外縁が切り抜き部１１、１２の内縁により形成されている。同様に、第２の内蓋フラップ３４も、部分的に切り抜くことにより形成された切り抜き部１３、１４を備えており、第２の上部フラップ３６は、主な外縁が切り抜き部１３、１４の内縁により形成されている。第１の上部フラップ３５は、第３の側面部２３の上辺付近に設けられた折曲可能部６２を介して、第１の内蓋フラップ３３に対して起立可能、かつ折り曲げ後の外蓋フラップ３１，３２上に折り曲げ可能に形成されている。同様に、第２の上部フラップ３６も、第４の側面部２４の上辺付近に設けられた折曲可能部６４を介して、第２の内蓋フラップ３４に対して起立可能、かつ折り曲げ後の外蓋フラップ３１，３２上に折り曲げ可能に形成されている。
【００４４】
なお、切り抜き部１１、１２、１３、１４は、内蓋フラップ３３，３４より、上部フラップ３５、３６を引き起こす際に、治具もしくは指の挿入に用いられるものである。このような切り抜き部を設けることにより、箱形成時に、容易に内蓋フラップ３３，３４より、上部フラップ３５、３６を引き起こすことが可能となる。言い換えれば、この実施例の包装箱は、内蓋フラップ３３，３２の内縁と上部フラップ３５，３６の外縁間に設けられ、後述する隙間封鎖用延出部３７，３８を介して区分された２つの上部フラップ起立作業用切欠部１１、１２、１３、１４を備えるものとなっている。
【００４５】
そして、包装箱作成用台紙１０は、第１の外蓋フラップ３１の基端部の第１の内蓋フラップ３３側の側部および第１の内蓋フラップ３３の基端部の第１の外蓋フラップ３１側の側部を形成する切欠部１５と、第１の内蓋フラップ３３の基端部の第２の外蓋フラップ３２側の側部および第２の外蓋フラップ３２の基端部の第１の内蓋フラップ３３側の側部を形成する切欠部１６と，第２の外蓋フラップ３２の基端部の第２の内蓋フラップ３４側の側部および第２の内蓋フラップ３４の基端部の第２の外蓋フラップ３２側の側部を形成する切欠部１７を備えている。
【００４６】
また、包装箱作成用台紙１０は、第１の外底フラップ４１の基端部の第１の内底フラップ４３側の側部および第１の内底フラップ４３の基端部の第１の外底フラップ４１側の側部を形成する切欠部１８と、第１の内蓋底ラップ４３の基端部の第２の外底フラップ４２側の側部および第２の外底フラップ４２の基端部の第１の内底フラップ４３側の側部を形成する切欠部１９と，第２の外底フラップ４２の基端部の第２の内底フラップ４４側の側部および第２の内底フラップ４４の基端部の第２の外底フラップ４２側の側部を形成する切欠部２０を備えている。
【００４７】
そして、図５に示すように、第１の内蓋フラップ３３は、切り抜き部１１，１２の内側より第１の上部フラップ３５の先端まで延びる第１の隙間封鎖用延出部３７を備えている。同様に、第２の内蓋フラップ３４は、切り抜き部１３，１４の内側より第２の上部フラップ３６の先端まで延びる第２の隙間封鎖用延出部３８を備えている。隙間封鎖用延出部３７、３８の先端と、上部フラップ３５、３６間には、切れ目が形成されており、それらは、連接していない。
【００４８】
また、隙間封鎖用延出部３７、３８は、内蓋フラップ３３，３４の内縁側より、徐々に幅が狭くなるように、上部フラップ３５、３６方向に延びる側面が傾斜した本体部（略台形状部分）３７ａ，３８ａと、側面傾斜部３７ａ，３８ａの先端より、ほぼ同一幅にて延び、上部フラップ３６、３７に到達する先端部（略直方形部分）３７ｂ、３８ｂを備えている。さらに、隙間封鎖用延出部３７、３８の先端側部分（この実施例では、上記先端部および上記本体部の先端側部分）は、段ボールを厚さ方向に押し潰した段潰し部となっている。このように、隙間封鎖用延出部３７、３８の先端側部分を段潰し部とすることにより、内蓋フラップ３３、３４からの分離が確実なものとなり、箱形成時における内蓋フラップ３３，３４からの上部フラップ３５、３６の引き起こしがより容易なものとなる。
【００４９】
なお、隙間封鎖用延出部３７、３８としては、上述のような先細り形態を有することが好ましいが、このようなものに限定されるものではない。例えば、隙間封鎖用延出部３７、３８は、ほぼ同じ幅、さらには、幅が広がり、上部フラップ３５，３６の先端に到達するものであってもよい。また、この実施例においても、隙間封鎖用延出部３７、３８の先端側部分は、段ボールを厚さ方向に押し潰した段潰し部となっていることが好ましい。
【００５０】
特に、この実施例の包装箱１では、図３に示すように、第１の外蓋フラップ３１は、積層部形成用突出部３９を除く図２における縦方向長さ（突出長）が、第２の内蓋フラップ３４の図２における縦方向長さ（突出長）より、若干短いものとなっている。このため、図８に示すように、第１の外蓋フラップ３１と第２の外蓋フラップ３２を近接する方向に折り曲げたとき、第１の外蓋フラップ３１の先端と第２の外蓋フラップ３２の先端間により形成される隙間５，６は、第１の内蓋フラップ３３および第２の内蓋フラップ３４の中心線より、図２における縦方向長さ（突出長）が短い第１の外蓋フラップ３１側に若干寄った位置となる。これに対応するように、内蓋フラップ３３、３４に形成される隙間封鎖用延出部３７、３８は、内蓋フラップ３３、３４の中心線より、第１の外蓋フラップ３１側に若干寄った位置、言い換えれば、図２に示すように、第２の外蓋フラップ３２より若干遠ざかる位置に設けられている。これにより、第１の外蓋フラップ３１の先端と第２の外蓋フラップ３２の先端が離間することにより形成される隙間５，６の端部を下方より封鎖する。
【００５１】
そして、図６および図８に示すように、第１および第２の内蓋フラップ３３，３４が近接する方向（環状側面部の内側方向）に、最初に折り曲げられ、続いて、折り曲げられた内蓋フラップ３３，３４上に重なるように、第１および第２の外蓋フラップ３１，３２が近接する方向に折り曲げられる。そして、この状態では、図８に示す隙間５、６の端部は、開放した状態となっている。そして、図９に示すように、上部フラップ３５、３６を、外蓋フラップ３１，３２の側部上に折り曲げることにより、上記隙間５、６の端部が封止される。また、折り曲げられた上部フラップ３５、３６は、外蓋フラップ３１，３２上に位置するため、凸部を形成する。
なお、本発明の包装箱としては、上述したような隙間５，６が形成された場合に有効であるが、このようなものに限定されるものではなく、図１３および図１４に示す実施例の包装箱１ａのように、外蓋フラップ３１，３２の先端間に上述の隙間５、６が形成されないものであってもよい。
【００５２】
そして、本発明の包装箱は、図２、図１０および図１１に示すように、底部形成部を備えている。底部形成部は、複数の底部フラップにより構成されている。蓋部フラップは、第１の側面部２１の下辺に設けられた第１の外底フラップ４１と、第２の側面部２２の下辺に設けられた第２の外底フラップ４２と、第３の側面部２３の下辺に設けられた第１の内底フラップ４３と、第４の側面部２４の下辺に設けられた第２の内底フラップ４４とを備えている。そして、第１の外底フラップ４１は、折曲可能部６５を介して、第１の側面部２１の下辺と連接している。第２の外底フラップ４２は、折曲可能部６７を介して、第２の側面部２２の下辺と連接している。第１の内底フラップ４３は、折曲可能部６６を介して、第３の側面部２３の下辺と連接している。第２の内底フラップ４４は、折曲可能部６８を介して、第４の側面部２４の下辺と連接している。
【００５３】
そして、図１０および図１１に示すように、第１および第２の内底フラップ４３，４４が近接する方向（環状側面部の内側方向）に、最初に折り曲げられ、続いて、折り曲げられた内底フラップ４３，４４上に重なるように、第１および第２の外底フラップ４１，４２が近接する方向に、かつ当接するように折り曲げられる。
【００５４】
また、この実施例の包装箱１は、内底フラップ４３，４４の下面かつ外底フラップの側縁の外側に形成された向かい合う２つの凹部４３ａ，４４ａを備え、２つの凹部４３ａ，４４ａは、２つの上部フラップ３５，３６の形状に対応し、積層時に下層となる包装箱の２つの上部フラップ３５，３６を収納可能な形状となっている。具体的には、図２および図１１に示すように、第１および第２の外底フラップ４１，４２は、両側部に切欠部を備えており、これにより、内底フラップ４３，４４の下面かつ外底フラップの側縁の外側に形成された向かい合う２つの凹部４３ａ，４４ａを備えるものとなっている。さらに、２つの凹部４３ａ，４４ａは、上述した２つの上部フラップ３５，３６の形状に対応し、凹部４３ａ，４４ａは、若干上部フラップ３５，３６より大きいものとなっている。これにより、包装箱１の底面に形成される凹部４３ａ，４４ａは、積層時に下層となる包装箱の２つの上部フラップ３５，３６を収納可能なものとなっている。
【００５５】
そして、この実施例の包装箱１では、第１の外蓋フラップ３１および第２の外蓋フラップ３２は、図１、図８および図９に示すように、コーナー側面部２５，２６，２７，７（２８，２９）の上端を覆うように延びる延出部を備えている。このため、コーナー側面部の上端が露出することなく、コーナー側面部の上端付近に隙間が形成されることを防止している。具体的には、第１の外蓋フラップ３１は、基端側の一方の側部に、接合コーナー側面部７（コーナー側面部２８，２９）の上端を被包する延出部８１を、基端側の他方の側部に、コーナー側面部２５の上端を被包する延出部８２を備える。同様に、第２の外蓋フラップ３２は、基端側の一方の側部に、コーナー側面部２６の上端を被包する延出部８３を、基端側の他方の側部に、コーナー側面部２７の上端を被包する延出部８４を備える。
【００５６】
さらに、この実施例の包装箱１では、第１の外底フラップ４１および第２の外底フラップ４２は、図１、図２および図１１に示すように、コーナー側面部２５，２６，２７，７（２８，２９）の下端を覆うように延びる延出部を備えている。このため、コーナー側面部の下端が露出することなく、コーナー側面部の下端付近に隙間が形成されることを防止している。具体的には、第１の外底フラップ４１は、基端側の一方の側部に、接合コーナー側面部７（コーナー側面部２８，２９）の下端を被包する延出部９１を、基端側の他方の側部に、コーナー側面部２５の下端を被包する延出部９２を備える。同様に、第２の外底フラップ４２は、基端側の一方の側部に、コーナー側面部２６の下端を被包する延出部９３を、基端側の他方の側部に、コーナー側面部２７の下端を被包する延出部９４を備える。
【００５７】
本発明の包装箱としては、上述した実施例のような４つの主側面部と４つのコーナー側面部とを備えることにより、横断面が略８角形となった８角柱状体となっているものが好ましい。しかし、このようなものに限定されるものではない。例えば、図１５および図１６に示す実施例の包装箱１ｂのように、４つのコーナー側面部を備えず、環状側面部が、４つの主側面部により形成された横断面が略長方形のものであってもよい。
【符号の説明】
【００５８】
１、１ａ，１ｂ  包装箱
１０、１０ａ  包装箱作成用台紙
２１  第１の側面部
２２  第２の側面部
２３  第３の側面部
２４  第４の側面部
３１  第１の外蓋フラップ
３２  第２の外蓋フラップ
３３  第１の内蓋フラップ
３４  第２の内蓋フラップ
３５  第１の上部フラップ
３６  第２の上部フラップ
３９  積層部形成用突出部
８６、８７，８８  開封用切込部
８９  破断用切込部
９５  固着部
【図１】
0006442212.tif 000002
【図２】
0006442212.tif 000003
【図３】
0006442212.tif 000004
【図４】
0006442212.tif 000005
【図５】
0006442212.tif 000006
【図６】
0006442212.tif 000007
【図７】
0006442212.tif 000008
【図８】
0006442212.tif 000009
【図９】
0006442212.tif 000010
【図１０】
0006442212.tif 000011
【図１１】
0006442212.tif 000012
【図１２】
0006442212.tif 000013
【図１３】
0006442212.tif 000014
【図１４】
0006442212.tif 000015
【図１５】
0006442212.tif 000016
【図１６】
0006442212.tif 000017